(57)【特許請求の範囲】
【請求項１】
導光板の入射端面に光源からの光を入射させて面発光する面照明体であって、
前記導光板の表面側に拡散シート及び乳半板の少なくとも一方を重ね合わせた重合体と、
前記導光板の前記入射端面を含む前記重合体の端縁に沿って設けられる枠部材と、
前記枠部材の長手方向両端部にて前記重合体と前記枠部材とを厚さ方向に締結する締結部材と、を備え、
前記枠部材は、前記入射端面に対向するとともに光源が設けられる対向面部と、該対向面部に連続し前記重合体の一方の面に沿って延びる第一側面部と、前記対向面部に連続し前記重合体の他方の面に沿って延びる第二側面部と、を有して断面略Ｕ字状に形成され、
前記第一側面部及び前記第二側面部には、前記締結部材を挿通させるとともに前記枠部材の長手方向に沿って前記締結部材を案内可能な案内孔が形成されて、
前記枠部材の長手方向両端部それぞれの前記締結部材が、前記導光板の膨張・収縮に応じて該導光板の対角方向に斜めに移動し、
前記枠部材が、前記締結部材の斜めの移動における、前記入射端面に対する直交方向の成分の移動に応じて該直交方向に移動し、
前記枠部材の長手方向両端部それぞれについて、前記案内孔が、前記締結部材の斜めの移動における、前記入射端面に対する平行方向の成分の移動を案内することを特徴とする面照明体。
【請求項２】
前記導光板が、温度変化及び湿度変化のうちの少なくとも一方に応じて膨張・収縮する矩形板であり、
前記締結部材が、前記導光板のコーナー近傍に配置されていることを特徴とする請求項１記載の面照明体。
【請求項３】
前記締結部材が、前記第一側面部、前記第二側面部、及び前記重合体を貫通する貫通ネジと、該貫通ネジに螺合するナットと、を有して構成されると共に、前記貫通ネジが前記案内孔内を移動することを特徴とする請求項１又は２に記載の面照明体。
【請求項４】
前記案内孔は、前記枠部材の長手方向に沿って形成された長孔で構成されていることを特徴とする請求項１から３のうち何れか一項に記載の面照明体。
【請求項５】
前記面発光が両面発光であり、
前記導光板の一方及び他方の両面に、それぞれ少なくとも１枚の拡散シートや空間を間に挟んで乳半板が重ね合わされて前記重合体が構成されていることを特徴とする請求項１から４のうち何れか一項に記載の面照明体。
【請求項６】
前記面発光が片面発光であり、
前記導光板の一方の面に拡散シート及び乳半板の少なくとも一方が重ねられ、前記導光板の他方の面に反射シートが重ねられて前記重合体が構成され、
前記反射シートにおける前記導光板とは反対側に、前記反射シートを前記導光板の前記他方の面に押し付ける板部材が重ねられ、該板部材には、前記締結部材を余裕をもって挿通させる挿通孔が形成されていることを特徴とする請求項１から４のうち何れか一項に記載の面照明体。
【発明の詳細な説明】
【技術分野】
【０００１】
本発明は、導光板の入射端面に光源からの光を入射させて面発光する面照明体に関するものである。
【背景技術】
【０００２】
従来、陽画フィルムに描かれた図柄を発光表示させるディスプレイ装置における陽画フィルムの背面照射や、面発光する照明器具として、導光板の入射端面に光源からの光を入射させて面発光する面照明体が使われている。このような用途で使われる面照明体には、可及的高輝度を得るために消費電力の大きなＬＥＤ光源が搭載されることがある。この場合、光源の点灯時の発熱による温度上昇や消灯時の温度低下等に起因して、合成樹脂製の導光板が膨張・収縮する可能性がある。また、同様の膨張・収縮は、面照明体の設置場所の温度や湿度が変動するときにも生じる可能性がある。このとき、導光板の膨張により導光板の入射端面が光源に近接し、更には入射端面が光源を圧迫するようなことになると、光源の点灯不良や破損を招来する恐れがある。
【０００３】
そこで、このような膨張による点灯不良等の影響を回避するために、光源を保持する光源ホルダーを導光板の入射端面の近傍に固定し、導光板が膨張・収縮するときにはこの入射端面と一緒に光源が移動できるように構成された面照明体が提案されている（例えば、特許文献１参照。）。この特許文献１に記載の面照明体では、重合基体としてのベース板に、導光体、光拡散板、光源ホルダーから延在する板部分等を重ね合わせた重合体の外周に、断面が略Ｕ字状となった額縁が嵌め込まれ、この額縁越しのネジ止めにより上記の重合体が一体化されている。この面照明体では、導光板の入射端面と光源との一体移動により、入射端面と光源との距離の変動を抑えることで、導光板の膨張による光源への影響が抑えられている。
【先行技術文献】
【特許文献】
【０００４】
【特許文献１】特願２００９−２４９１４３号公報
【発明の概要】
【発明が解決しようとする課題】
【０００５】
ここで、導光板の膨張・収縮は、入射端面と光源との距離を変動させるだけでなく、ネジ等の締結部材による締結箇所に負荷を掛けることがある。そして、このような負荷が大き過ぎる場合には、締結箇所での導光板の破損等が生じる恐れがある。このため、導光板の膨張・収縮による締結箇所や光源への影響が、総合的に抑えられた面照明体が求められている。
【０００６】
本発明の目的は、導光板の膨張・収縮による締結箇所や光源への影響が、総合的に抑えられた面照明体を提供することにある。
【課題を解決するための手段】
【０００７】
上記目的を達成する請求項１に記載の発明は、導光板の入射端面に光源からの光を入射させて面発光する面照明体であって、前記導光板の表面側に拡散シート及び乳半板の少なくとも一方を重ね合わせた重合体と、前記導光板の前記入射端面を含む前記重合体の端縁に沿って設けられる枠部材と、前記枠部材の長手方向両端部にて前記重合体と前記枠部材とを厚さ方向に締結する締結部材と、を備え、前記枠部材は、前記入射端面に対向するとともに光源が設けられる対向面部と、該対向面部に連続し前記重合体の一方の面に沿って延びる第一側面部と、前記対向面部に連続し前記重合体の他方の面に沿って延びる第二側面部と、を有して断面略Ｕ字状に形成され、前記第一側面部及び前記第二側面部には、前記締結部材を挿通させるとともに前記枠部材の長手方向に沿って前記締結部材を案内可能な案内孔が形成されて、前記枠部材の長手方向両端部それぞれの前記締結部材が、前記導光板の膨張・収縮に応じて該導光板の対角方向に斜めに移動し、前記枠部材が、前記締結部材の斜めの移動における、前記入射端面に対する直交方向の成分の移動に応じて該直交方向に移動し、前記枠部材の長手方向両端部それぞれについて、前記案内孔が、前記締結部材の斜めの移動における、前記入射端面に対する平行方向の成分の移動を案内することを特徴とする面照明体となっている。
【０００８】
また、請求項２に記載の発明は、請求項１記載の面照明体において、前記導光板が、温度変化及び湿度変化のうちの少なくとも一方に応じて膨張・収縮する矩形板であり、前記締結部材が、前記導光板のコーナー近傍に配置されていることを特徴とする。
【０００９】
また、請求項３に記載の発明は、請求項１又は２に記載の面照明体において、前記締結部材が、前記第一側面部、前記第二側面部、及び前記重合体を貫通する貫通ネジと、該貫通ネジに螺合するナットと、を有して構成されると共に、前記貫通ネジが前記案内孔内を移動することを特徴とする。
【００１０】
また、請求項４に記載の発明は、請求項１から３のうち何れか一項に記載の面照明体において、前記案内孔は、前記枠部材の長手方向に沿って形成された長孔で構成されていることを特徴とする。
【００１１】
また、請求項５に記載の発明は、請求項１から４のうち何れか一項に記載の面照明体において、前記面発光が両面発光であり、前記導光板の一方及び他方の両面に、それぞれ少なくとも１枚の拡散シートや空間を間に挟んで乳半板が重ね合わされて前記重合体が構成されていることを特徴とする。
【００１２】
また、請求項６に記載の発明は、請求項１から４のうち何れか一項に記載の面照明体において、前記面発光が片面発光であり、前記導光板の一方の面に拡散シート及び乳半板の少なくとも一方が重ねられ、前記導光板の他方の面に反射シートが重ねられて前記重合体が構成され、前記反射シートにおける前記導光板とは反対側に、前記反射シートを前記導光板の前記他方の面に押し付ける板部材が重ねられ、該板部材には、前記締結部材を余裕をもって挿通させる挿通孔が形成されていることを特徴とする。
【発明の効果】
【００１３】
請求項１に記載の発明によれば、枠部材が導光板の入射端面を含む重合体の端縁に設けられている。このため、導光板の膨張・収縮における入射端面に直交する直交成分については、枠部材が導光板の入射端面とその直交方向に一緒に動けるので、締結箇所への負荷が抑えられる。また、請求項１に記載の発明によれば、案内孔によって締結部材を枠部材の長手方向に沿って案内することで、導光板の膨張・収縮による導光板と枠部材との相対変位を吸収することができる。これにより、導光板の膨張・収縮における入射端面に沿った平行成分についても、締結箇所への負荷が抑えられる。さらに、請求項１に記載の発明によれば、膨張・収縮の直交成分に追随して枠部材が動けることから、その枠部材の対向面部に設けた光源と導光板の入射端面との距離の変動を抑えることができる。その結果、光源の破損を防止するとともに、安定した入射光により発光状態を良好に維持することができる。このように、請求項１に記載の発明によれば、導光板の膨張・収縮による締結箇所や光源への影響が、総合的に抑えられた面照明体を得ることができる。また、請求項１に記載の発明によれば、上述した特許文献１に記載の面照明体に設けられているベース板が不要にできることから、構造の簡素化、薄型化を促進させることができる。
【００１４】
また、請求項１，２に記載の発明によれば、導光板のコーナー近傍に配置された締結部材の斜めの移動における、入射端面に対する直交方向及び平行方向の両成分それぞれについて、締結箇所や光源への影響を確実に抑えることができる。
【００１５】
また、請求項３に記載の発明によれば、貫通ネジとナットとの螺合により重合体と枠部材とを簡単確実に締結することができる。また、貫通ネジの案内孔内の移動により、締結箇所への負荷を確実に抑えることができる。
【００１６】
また、請求項４に記載の発明によれば、長孔で構成された案内孔の長手方向に直交する方向への締結部材の移動が規制される。これにより、導光板の膨張・収縮における入射端面に対する直交成分への枠部材（即ち、光源）の追随性が向上する。その結果、光源と導光板の入射端面との距離の変動を一層抑えることができので、導光板の膨張・収縮による光源への影響を一層抑えることができる。
【００１７】
また、請求項５に記載の発明によれば、導光板との間に拡散シートや空間を挟んで乳半板も重ね合わせた重合体が締結部材でまとめて締結、一体化される。これにより、汎用性の高い乳色光を発する面照明体を得ることができる。また、両面発光の場合において、導光板の両面に拡散シートや空間が配されることで、例えば、面照明体の両面に陽画フィルムを重ねてその図柄を発光表示する際に、一方の発光表示への他方の発光表示からの裏写りが軽減される。
【００１８】
また、請求項６に記載の発明によれば、板部材によって反射シートのばたつきが防止される。そして、締結部材が板部材の挿通孔を余裕をもって挿通することで、例えば、導光板とは膨張が異なるアルミニウム板等で板部材を形成したとしても導光板と板部材との相対変位を吸収して締結箇所への負荷を軽減することができる。
【図面の簡単な説明】
【００１９】
【図１】本発明の第一実施形態にかかる面照明体を発光面側から見た正面図である。
【図２】図１中のＡ−Ａ断面を示す断面図である。
【図３】図１及び図２に示されている面照明体における重合体及び枠部材の部分的な分解斜視図である。
【図４】導光板の膨張・収縮に伴う、その導光板のコーナー近傍の移動の様子を模式的に示す図である。
【図５】本発明の第二実施形態にかかる面照明体を発光面側から見た正面図である。
【図６】図５中のＢ−Ｂ断面を示す断面図である。
【図７】図５及び図６に示されている面照明体における重合体及び枠部材の部分的な分解斜視図である。
【発明を実施するための形態】
【００２０】
本発明の第一実施形態にかかる面照明体を、図１〜図４を参照して説明する。図１は、本発明の第一実施形態にかかる面照明体を発光面側から見た正面図である。図２は、図１中のＡ−Ａ断面を示す断面図である。図３は、図１及び図２に示されている面照明体における重合体及び枠部材の部分的な分解斜視図である。図４は、導光板の膨張・収縮に伴う、その導光板のコーナー近傍の移動の様子を模式的に示す図である。
【００２１】
図１に示されている面照明体１は、乳色光で両面発光する矩形板状の照明体である。この面照明体１は、ＬＥＤユニット１１と、重合体１２と、重合体１２の図中上下の端縁１２ａそれぞれに沿って設けられる一対の枠部材１３と、重合体１２と枠部材１３とを締結する締結部材１４と、を備えている。
【００２２】
ＬＥＤユニット１１は、図２に示されているように基板１１１上に光源としてのＬＥＤ１１２が搭載されたものである。基板１１１は、重合体１２の端縁１２ａに沿って延びる帯板状の基板であり、ＬＥＤ１１２は、重合体１２の端縁１２ａに光の出射口を向けて、その端縁１２ａに沿って一列に配列されている。
【００２３】
重合体１２は、図２及び図３に示されているように、重合基体としての導光板１２１と、拡散シート１２２と、乳半板１２３と、が重ね合わされたものである。本実施形態では、導光板１２１の一方及び他方の両面に、それぞれ２枚の拡散シート１２２を間に挟んで乳半板１２３が重ねられて重合体１２が構成されている。
【００２４】
導光板１２１は、重合基体としての剛性を有する例えばアクリル樹脂等の合成樹脂で形成された矩形板である。本実施形態では、この導光板１２１は、厚みが約５ｍｍの板となっている。そして、本実施形態では、この導光板１２１における対向一対の端縁それぞれが、ＬＥＤ１１２から光が入射される入射端面１２１ａとなっている。また、導光板１２１におけるコーナー近傍の４箇所には、貫通孔１２１ｂが設けられている。
【００２５】
拡散シート１２２は、例えばポリエステル系の合成樹脂で形成され、厚みが約０．２ｍｍで、光拡散機能を有する透明乃至半透明の矩形シートとなっている。この拡散シート１２２のコーナー近傍には、図３に示されているように、導光板１２１の貫通孔１２１ｂと連通する貫通孔１２２ａが設けられている。
【００２６】
乳半板１２３は、例えばアクリル樹脂等の合成樹脂で形成された、厚みが約２ｍｍで、乳白色半透明の矩形板となっている。この乳半板１２３のコーナー近傍にも、図３に示されているように、導光板１２１の貫通孔１２１ｂと連通する貫通孔１２３ａが設けられている。
【００２７】
枠部材１３は、導光板１２１の入射端面１２１ａを含む重合体１２の端縁１２ａに沿って設けられる。この枠部材１３は、対向面部１３１と、第一側面部１３２と、第二側面部１３３と、を有している。対向面部１３１は、入射端面１２１ａに対向するとともにＬＥＤユニット１１が設けられる。第一側面部１３２は、対向面部１３１に連続して重合体１２の一方の面に沿って延び、第二側面部１３３は、対向面部１３１に連続して重合体１２の他方の面に沿って延びている。これら３つの面部を有する枠部材１３は、その断面形状が略Ｕ字状に形成されている。
【００２８】
締結部材１４は、図２に示されているように、枠部材１３の長手方向両端部にて重合体１２と枠部材１３とを厚さ方向に締結する。この締結部材１４は、貫通ネジ１４１とナット１４２と、を有して構成される。尚、本実施形態では、図２及び図３に示されているように、枠部材１３の第一側面部１３２と重合体１２の一方の面との間、及び、枠部材１３の第二側面部１３３と重合体１２の他方の面との間に、厚みが約１ｍｍのスペーサ１５が１枚ずつ配されている。スペーサ１５のコーナー近傍にも、図３に示されているように、導光板１２１の貫通孔１２１ｂと連通する貫通孔１５ａが設けられている。
【００２９】
導光板１２１の貫通孔１２１ｂ、拡散シート１２２の貫通孔１２２ａ、乳半板１２３の貫通孔１２３ａ、及びスペーサ１５の貫通孔１５ａは、いずれも貫通ネジ１４１の径よりも若干大径の円形孔となっている。
【００３０】
ここで、枠部材１３の第一側面部１３２及び第二側面部１３３には、締結部材１４における貫通ネジ１４１を挿通させるとともに、枠部材１３の長手方向に沿って貫通ネジ１４１を案内可能な案内孔１３４が形成されている。この案内孔１３４は、図１及び図３に示されているように、枠部材１３の長手方向に沿って形成された長孔で構成されている。
【００３１】
貫通ネジ１４１は、第一側面部１３２の案内孔１３４、第二側面部１３３の案内孔１３４、導光板１２１の貫通孔１２１ｂ、拡散シート１２２の貫通孔１２２ａ、乳半板１２３の貫通孔１２３ａ、及びスペーサ１５の貫通孔１５ａを貫通する。そして、この貫通ネジ１４１にナット１４２が螺合することで重合体１２と枠部材１３とが間にスペーサ１５を挟んで厚さ方向に締結される。
【００３２】
アクリル樹脂等の合成樹脂で形成された導光板１２１は、温度変化や湿度変化によって膨張・収縮することがある。例えば、導光板１２１がアクリル樹脂で形成されているとした場合、導光板１２１の温度変化１０℃ごとに、１０００ｍｍあたり０．７ｍｍ程度、膨張・収縮することがある。また、湿度が上昇したときには、吸水により、１０００ｍｍあたり最大で２ｍｍ程度、膨張することがある。
【００３３】
仮に、夏場に面照明体１が曝される温度を６０℃、冬場に面照明体１が曝される温度を−１０℃とし、両者間の温度変化を７０℃とする。さらに、導光板１２１の平面視形状を、横サイズが２０００ｍｍで縦サイズが６００ｍｍの長方形とする。
【００３４】
この場合、導光板１２１は、夏場と冬場との温度変化により、縦方向には、０．７ｍｍ×（６００ｍｍ÷１０００ｍｍ）×（７０℃÷１０℃）＝２．９４ｍｍ程度に膨張・収縮することがある。また、湿度上昇による縦方向の膨張は、最大で２ｍｍ×（６００ｍｍ÷１０００ｍｍ）＝１．２ｍｍ程度となることがある。つまり、導光板１２１は、温度変化及び湿度変化により、合計で２．９４ｍｍ＋１．２ｍｍ＝４．１４ｍｍ程度縦方向に膨張・収縮することがある。導光板１２１の膨張・収縮が、縦方向に均等に生じるとすると、導光板１２１の対向一対の入射端面１２１ａそれぞれの近傍では、４．１４ｍｍ÷２＝２．０７ｍｍ程度縦方向に膨張・収縮することがある。
【００３５】
図４には、このような導光板１２１の膨張・収縮に伴う、その導光板１２１のコーナー近傍の移動の様子が模式的に示されている。図４（ａ）には膨張前（又は、収縮後）のコーナー近傍が示され、図４（ｂ）には膨張後（又は、収縮前）のコーナー近傍が示されている。図４に示されているように、導光板１２１が膨張・収縮するときには、導光板１２１のコーナー近傍は対角方向Ｄ１に斜めに移動する。その結果、そのコーナー近傍に配置されている締結部材１４（貫通ネジ１４１及びナット１４２）も、導光板１２１のコーナー近傍と一緒に対角方向Ｄ１に斜めに移動する。
【００３６】
本実施形態の面照明体１では、枠部材１３が導光板１２１の入射端面１２１ａを含む重合体１２の端縁１２ａに設けられている。このため、導光板１２１の膨張・収縮に伴う締結部材１４の斜めの移動における、入射端面１２１ａに直交する直交方向Ｄ１−１の成分（即ち、上記のような縦方向の膨張・収縮による移動）については、枠部材１３が導光板１２１の入射端面１２１ａ（即ち、締結部材１４）とその直交方向Ｄ１−１に一緒に動くこととなる。その結果、導光板１２１の膨張・収縮に伴う締結部材１４の直交方向Ｄ１−１の移動について、締結部材１４による締結箇所への負荷が抑えられる。
【００３７】
一方、導光板１２１は、夏場と冬場との温度変化により、横方向には、０．７ｍｍ×（２０００ｍｍ÷１０００ｍｍ）×（７０℃÷１０℃）＝９．８ｍｍ程度に膨張・収縮することがある。また、湿度上昇による横方向の膨張は、最大で２ｍｍ×（２０００ｍｍ÷１０００ｍｍ）＝４ｍｍ程度となることがある。つまり、導光板１２１は、温度変化及び湿度変化により、合計で９．８ｍｍ＋４ｍｍ＝１３．８ｍｍ程度横方向に膨張・収縮することがある。導光板１２１の膨張・収縮が、横方向に均等に生じるとすると、導光板１２１の左右一対の端面それぞれの近傍では、１３．８ｍｍ÷２＝６．９ｍｍ程度横方向に膨張・収縮することがある。
【００３８】
本実施形態の面照明体１では、上記の案内孔１３４によって締結部材１４（即ち、貫通ネジ１４１及びナット１４２）を枠部材１３の長手方向（即ち、横方向）に沿って案内することで、導光板１２１の膨張・収縮による導光板１２１と枠部材１３との相対変位を吸収することができる。これにより、導光板１２１の膨張・収縮に伴う締結部材１４の移動における、入射端面１２１ａに沿った平行方向Ｄ１−２の成分（即ち、上記のような横方向の膨張・収縮）についても、締結箇所への負荷が抑えられる。
【００３９】
ここで、導光板１２１の左右一対の端面それぞれの近傍における横方向の膨張・収縮が、上記のように６．９ｍｍ程度であるとすると、このような横方向の膨張・収縮に伴う貫通ネジ１４１の横方向の移動量も６．９ｍｍ程度となる。貫通ネジ１４１の外径を４．５ｍｍとすると、横方向に延びる長孔で構成された上記の案内孔１３４の長手方向の長さを、６．９ｍｍ＋４．５ｍｍ＝１１．４ｍｍ程度とすることで、横方向に上記のように移動する貫通ネジ１４１を十分案内可能となる。
【００４０】
さらに、本実施形態の面照明体１では、上記のように膨張・収縮の直交成分に追随して枠部材１３が動けることから、その枠部材１３の対向面部１３１に設けたＬＥＤユニット１１のＬＥＤ１１１と導光板１２１の入射端面１２１ａとの距離の変動を抑えることができる。その結果、ＬＥＤ１１１の破損を防止するとともに、安定した入射光により発光状態を良好に維持することができる。
【００４１】
以上に説明したように、本実施形態の面照明体１は、導光板１２１の膨張・収縮による締結箇所やＬＥＤ１１１への影響が、総合的に抑えられた面照明体となっている。また、本実施形態の面照明体１では、上述した特許文献１に記載の面照明体に設けられているベース板が不要となっており、その文、構造の簡素化、薄型化が促進されている。
【００４２】
また、本実施形態の面照明体１では、導光板１２１の膨張・収縮に応じて締結部材１４が対角方向Ｄ１に斜めに移動する。このとき、入射端面１２１ａに対する直交方向Ｄ１−１の成分の移動については、枠部材１３がその直交方向Ｄ１−１することで締結箇所への負荷が確実に抑えられる。また、平行方向Ｄ１−２の成分の移動については、案内孔１３４が、その平行方向Ｄ１−２への締結部材１４の移動を案内することで締結箇所への負荷が確実に抑えられる。
【００４３】
また、本実施形態の面照明体１では、貫通ネジ１４１とナット１４２との螺合により重合体１２と枠部材１３とを簡単確実に締結することができる。そして、貫通ネジ１４１の案内孔１３４内の移動により、締結箇所への負荷を確実に抑えることができる。
【００４４】
また、本実施形態の面照明体１では、上述したように枠部材１３の第一側面部１３２及び第二側面部１３３それぞれの案内孔１３４が、枠部材１３の長手方向に沿って形成された長孔で構成されている。これにより、案内孔１３４の長手方向に直交する方向への貫通ネジ１４１の移動が規制される。これにより、導光板１２１の膨張・収縮における入射端面１２１ａに対する直交成分への枠部材１３（即ち、ＬＥＤ１１２）の追随性が向上する。その結果、ＬＥＤ１１２と導光板１２１の入射端面１２１ａとの距離の変動を一層抑えることができので、導光板１２１の膨張・収縮によるＬＥＤ１１２への影響を一層抑えることができる。
【００４５】
また、本実施形態の面照明体１によれば、導光板１２１との間に拡散シート１２２を挟んで乳半板１２３も重ね合わせた重合体１２が締結部材１４でまとめて締結、一体化される。これにより、汎用性の高い乳色光を発する面照明体１を得ることができる。また、導光板１２１の両面に拡散シート１２２が配されることで、例えば、面照明体１の両面に陽画フィルムを重ねてその図柄を発光表示する際に、一方の発光表示への他方の発光表示からの裏写りが軽減される。
【００４６】
尚、上記の拡散シート１２２に替えて、この拡散シート１２２の部分にプラスして、導光板１２１と乳半板１２３との間の空間（即ち、隙間）を設けてもよい。このような方策によっても、上記のような裏写りが軽減される。
【００４７】
次に、本発明の第二実施形態にかかる面照明体を、図５〜図７を参照して説明する。図５は、本発明の第二実施形態にかかる面照明体を発光面側から見た正面図である。図６は、図５中のＢ−Ｂ断面を示す断面図である。図７は、図５及び図６に示されている面照明体における重合体及び枠部材の部分的な分解斜視図である。
【００４８】
図５に示されている面照明体３は、乳色光で片面発光する矩形板状の照明体である。この面照明体３は、ＬＥＤユニット３１と、重合体３２と、重合体３２の図中上側の端縁３２ａに沿って設けられる枠部材３３と、重合体３２と枠部材３３とを締結する締結部材３４と、を備えている。
【００４９】
ＬＥＤユニット３１は、図６に示されているように基板３１１上に光源としてのＬＥＤ３１２が搭載されたものである。
【００５０】
本実施形態の重合体３２は、図６及び図７に示されているように、まず、第一実施形態における導光板１２１、拡散シート１２２、及び乳半板１２３と同等な、導光板３２１、拡散シート３２２、及び乳半板３２３を有している。本実施形態の重合体３２では、導光板３２１の一方の面に拡散シート１２２が１枚重ねられ、拡散シート１２２に乳半板３２３が重ねられる。この重合体３２における乳半板３２３側が、重合体３２の発光面、即ち面照明体３の発光面となる。
【００５１】
尚、本実施形態では、片面発光の重合体の一例として、導光板３２１の一方の面に１枚の拡散シート１２２と乳半板３２３とが重ねられた形態が例示されている。しかしながら、片面発光の重合体はこのような形態に限るものではなく、例えば導光板の一方の面に拡散シートもしくは乳半板が重ねられた形態であってもよい。
【００５２】
一方、導光板３２１の他方の面には反射シート３２４が１枚重ねられている。反射シート３２４は、例えばポリエステル系の合成樹脂で形成され、厚みが約０．２ｍｍで、高反射率を有する白色の矩形シートとなっている。導光板３２１の入射端面３２１ａに入射された光は、反射シート３２４で反射されつつ導光板３２１の内部を進行する。これにより、重合体３２における上記の発光面が発光することとなる。また、反射シート３２４における導光板３２１とは反対側に、反射シート３２４を導光板３２１の上記の他方の面に押し付ける板部材としてのアルミニウム板３２５が重ねられる。反射シート３２４は、アルミニウム板３２５に糊付けによって貼付されている。
【００５３】
導光板３２１における入射端面３２１ａ側の２つのコーナー近傍の２箇所には、貫通孔３２１ｂが設けられている。拡散シート３２２には導光板３２１の貫通孔３２１ｂに連通する貫通孔３２２ａが設けられ、乳半板３２３にも同様の貫通孔３２３ａが設けられている。また、反射シート３２４にも導光板３２１の貫通孔３２１ｂに連通する貫通孔３２４ａが設けられている。他方、アルミニウム板３２５には、後述するようにこれらの貫通孔よりも大径の大径貫通孔３２５ａが設けられている。
【００５４】
枠部材３３は、第一実施形態における枠部材１３と同様に、対向面部３３１と、第一側面部３３２と、第二側面部３３３と、を有し、その断面形状が略Ｕ字状に形成されている。対向面部３３１には、入射端面３２１ａに対向するとともにＬＥＤユニット１１が設けられ、第一側面部３３２は、対向面部３３１に連続して重合体１２の発光面に沿って延び、第二側面部１３３は、対向面部３３１に連続して重合体１２の裏面に沿って延びている。
【００５５】
締結部材３４は、第一実施形態の締結部材１４と同様に、貫通ネジ３４１とナット３４２と、を有して構成される。また、本実施形態では、図６及び図７に示されているように、枠部材３３の第一側面部３３２と重合体３３の一方の面との間に、厚みが約１ｍｍのスペーサ３５が１枚配されている。スペーサ３５のコーナー近傍にも、図７に示されているように、導光板３２１の貫通孔３２１ｂと連通する貫通孔３５ａが設けられている。
【００５６】
導光板３２１の貫通孔３２１ｂ、拡散シート３２２の貫通孔３２２ａ、乳半板３２３の貫通孔３２３ａ、及びスペーサ３５の貫通孔３５ａは、いずれも貫通ネジ３４１の径よりも若干大径の円形孔となっている。また、アルミニウム板３２５の大径貫通孔３２５ａは、これらの貫通孔よりも大径、即ち、貫通ネジ３４１の径に対して余裕を持った大径の円形孔であり、貫通ネジ３４１を余裕をもって挿通させる挿通孔となっている。
【００５７】
そして、枠部材３３の第一側面部３３２及び第二側面部３３３には、図５及び図７に示されているように、第一実施形態の案内孔１４と同様の長孔で構成された案内孔３３４が形成されている。貫通ネジ３４１は、第一側面部３３２の案内孔３３４、第二側面部３３３の案内孔３３４、導光板３２１の貫通孔３２１ｂ、拡散シート３２２の貫通孔３２２ａ、乳半板３２３の貫通孔３２３ａ、反射シート３２４の貫通孔３２４ａ、アルミニウム板３２５の大径貫通孔３２５ａ、及びスペーサ３５の貫通孔３５ａを貫通する。そして、この貫通ネジ３４１にナット３４２が螺合することで重合体３２と枠部材３３とが間にスペーサ３５を挟んで厚さ方向に締結される。
【００５８】
以上に説明した第二実施形態の面照明体３も、第一実施形態の面照明体１と同様に、導光板３２１の膨張・収縮による締結箇所やＬＥＤ３１２への影響が、総合的に抑えられた面照明体となっていることはいうまでもない。また、導光板３２１が重合体３２の重合基体となっていることからベース板が不要で、構造の簡素化、薄型化を促進させることができる点、貫通ネジ３４１とナット３４２との螺合により重合体３２と枠部材３３とを簡単確実に締結することができる点も、第一実施形態の面照明体１と同様である。また、案内孔３３４による、その直交方向への貫通ネジ３４１の移動規制により、導光板３２１の膨張・収縮における入射端面３２１ａに対する直交成分への枠部材３３（即ち、ＬＥＤ３１２）の追随性が向上し、導光板３２１の膨張・収縮によるＬＥＤ３１２への影響を一層抑えることができる点も、第一実施形態の面照明体１と同様である。そして、第二実施形態の面照明体３では、導光板３２１、拡散シート３２２、乳半板３２３、反射シート３２４、及びアルミニウム板３２５を重ね合わせた重合体３２が締結部材３４でまとめて締結、一体化される。これにより、第二実施形態の面照明体３は、汎用性の高い乳色光を発する片面発光の面照明体に構成されている。
【００５９】
また、第二実施形態の面照明体３では、貫通ネジ３４１がアルミニウム板３２５の大径貫通孔３２５ａを余裕をもって挿通することで、導光板３２１とは膨張が異なるアルミニウム板３２５と、その導光板３２１の相対変位を吸収して締結箇所への負荷を軽減することができる。
【００６０】
本実施形態では、アルミニウム板３２５の大径貫通孔３２５ａの径は、長孔で構成された案内孔３３４の長手方向の長さと同じ長さとなっている。上述した第一実施形態の案内孔１３４について説明した数値例と同様に、本実施形態の案内孔３３４の長手方向の長さを１１．４ｍｍ程度とすると、アルミニウム板３２５の大径貫通孔３２５ａの径も同様に１１．４ｍｍ程度となる。これにより、導光板３２１の膨張・収縮に伴って貫通ネジ３４１がアルミニウム板３２５に対して如何なる方向に相対的に動いたとしても、貫通ネジ３４１の動きは大径貫通孔３２５ａの内側に収まる。その結果、導光板３２１のアルミニウム板３２５に対する相対変位が吸収されることとなる。
【００６１】
尚、上述した２つの実施形態は本発明の代表的な形態を示したに過ぎず、本発明は、これらに限定されるものではない。即ち、本発明の骨子を逸脱しない範囲で種々変形して実施することができる。かかる変形によってもなお本発明の面照明体の構成を具備する限り、勿論、本発明の範疇に含まれるものである。
【００６２】
例えば、上述した２つの実施形態では、導光板等の各構成要素の厚みや材質についての具体的な寸法や材質、及び案内孔等についての具体的な寸法が例示されている。しかしながら、本発明の面照明体における各構成要素の寸法や材質や案内孔等の寸法は、これらに限るものではなく、材質や寸法は適宜に変更し得る。
【００６３】
また、上述した２つの実施形態では、本発明にいう光源の一例として、導光板の入射端面に沿って１列に配列された光源（ＬＥＤ）が例示されている。しかしながら、本発明にいう光源はこれに限るものではなく、例えば、導光板の厚み方向に、入射端面に沿って複数列に配列されたものであってもよい。
【００６４】
また、上述した第一実施形態では、本発明にいう面照明体の一例として、矩形板形状の導光板における対向一対の端縁それぞれを光源からの光の入射端面とした両面発光の面照明体１、２が例示されている。また、上述した第二実施形態では、本発明にいう面照明体の一例として、矩形板形状の導光板における１つの端縁を光源からの光の入射端面とした片面発光の面照明体３、４が例示されている。しかしながら、本発明にいう面照明体は、このような形態に限るものではなく、導光板における１つの端縁を光源からの光の入射端面とした両面発光の面照明体であってもよく、導光板における対向一対の端縁それぞれを光源からの光の入射端面とした片面発光の面照明体であってもよい。
【００６５】
また、上述した２つの実施形態では、本発明にいう案内孔の一例として、長孔で構成された案内孔１３４、３３４が例示されている。しかしながら、本発明にいう案内孔は、これに限るものではなく、締結部材を挿通させるとともに枠部材の長手方向に沿って締結部材な孔であれば、例えば楕円孔等といった長孔以外の形状であってもよくその具体的な形状を問うものではない。
【００６６】
また、上述した２つの実施形態では、本発明にいう締結部材の一例として、貫通ネジとナットを有して構成される締結部材１４、３４が例示されている。しかしながら、本発明にいう締結部材はこれらに限るものではなく、重合体と枠部材とを厚さ方向に締結するものであれば、例えばリベット等といったネジを使わずに構成されるものであってもよくその具体的な構成を問うものではない。
【符号の説明】
【００６７】
１，３  面照明体
１１，３１      ＬＥＤユニット
１２，３２      重合体
１２ａ，３２ａ  端縁
１３，３３      枠部材
１４，３４    締結部材
１５，３５      スペーサ
１１１，３１１  基板
１１２，３１２  ＬＥＤ（光源）
１２１，３２１  導光板
１２１ａ，３２１ａ    入射端面
１２１ｂ，１２２ａ，１２３ａ，１５ａ，３２１ｂ，３２２ａ，３２３ａ，３２４ａ，３５ａ    貫通孔
１２２，３２２  拡散シート
１２３，３２３  乳半板
１３１，３３１  対向面部
１３２，３３２  第一側面部
１３３，３３３  第二側面部
１３４，３３４  案内孔
１４１，３４１  貫通ネジ
１４２，３４２  ナット
３２４    反射シート
３２５    アルミニウム板（板部材）
３２５ａ  大径貫通孔（挿通孔）
【図１】
0006348794.tif 000002
【図２】
0006348794.tif 000003
【図３】
0006348794.tif 000004
【図４】
0006348794.tif 000005
【図５】
0006348794.tif 000006
【図６】
0006348794.tif 000007
【図７】
0006348794.tif 000008